(57)【特許請求の範囲】
【請求項１】
テレビジョン信号又はＦＭ放送信号が入力され、前記テレビジョン信号をテレビジョンの中間周波数帯に周波数変換するとともに、前記ＦＭ放送信号を前記中間周波数帯における音声中間周波数に周波数変換する混合器と、前記混合器の後段に設けられた中間周波同調回路とを備え、前記中間周波同調回路は、前記中間周波数帯の略中央の周波数に同調する第一の並列同調回路と、前記第一の並列同調回路に並列接続され、前記音声中間周波数よりも低い周波数に同調する第二の並列同調回路及びその第二の並列同調回路に直列接続されたスイッチ手段とから構成され、前記混合器から前記中間周波数帯の信号及び前記音声中間周波数帯の信号が前記中間周波同調回路の両端に供給されるもので、前記テレビジョン信号を受信する場合には前記スイッチ手段をオフ状態に設定して前記中間周波同調回路が前記第一の並列同調回路だけになるようにし、前記ＦＭ放送信号を受信する場合には前記スイッチ手段をオン状態に設定して前記中間周波同調回路が前記第一の並列同調回路及び前記第二の並列同調回路になるようにし、前記第一の並列同調回路と前記第二の並列同調回路との並列回路の同調周波数が前記音声中間周波数になるように前記第二の並列同調回路の同調周波数を設定していることを特徴とするテレビジョンチューナ。
【請求項２】
テレビジョン信号又はＦＭ放送信号が入力され、前記テレビジョン信号をテレビジョンの中間周波数帯に周波数変換すると共に、前記ＦＭ放送信号を前記中間周波数帯における音声中間周波数に周波数変換する混合器と、前記混合器よりも後段に設けられた中間周波同調回路とを備え、前記中間周波同調回路を第一の並列同調回路と第二の並列同調回路と前記第二の並列同調回路に直列に接続された第一のバラクタダイオードとから構成し、前記第一の並列同調回路又は前記第二の並列同調回路の何れか一方の並列同調回路の並列同調周波数を前記中間周波数帯の中央よりも高く、他方の並列同調回路の並列同調周波数を前記音声中間周波数より低く設定し、前記第一の並列同調回路の両端と、前記第二の並列同調回路と前記第一のバラクタダイオードとからなる直列回路の両端とに、前記中間周波数帯の信号と前記音声中間周波数帯の信号とを印加し、テレビジョン信号を受信する場合には前記第一のバラクタダイオードに逆方向のバイアス電圧を印加して、前記第二の並列同調回路と前記第一のバラクタダイオードとによって、受信するテレビジョンチャネルに対して高い方に隣接するテレビジョンチャネルの映像搬送波に対応する中間周波数帯の周波数に直列同調させると共に、直列接続された前記第二の並列同調回路及び前記第一のバラクタダイオードと、前記第一の並列同調回路との並列回路の同調周波数を前記中間周波数になるように設定するようにし、ＦＭ放送信号を受信する場合には前記第一のバラクタダイオードを導通状態として、前記第一の並列同調回路と前記第二の並列同調回路とからなる並列回路の同調周波数を前記音声中間周波数になるように設定することを特徴とするテレビジョンチューナ。
【請求項３】
前記混合器よりも後段に中間周波増幅器と、前記中間周波増幅器の出力端とグランドとの間に接続された直列同調回路とを設け、前記直列同調回路は、途中の点を出力端としており、前記直列同調回路の同調周波数が変更可能であって、テレビジョン信号を受信する場合には前記直列同調回路の同調周波数を前記中間周波数帯の帯域外として、ＦＭ放送信号を受信する場合には前記直列同調回路の同調周波数を前記音声中間周波数帯の周波数に合わせたことを特徴とする請求項１又は２に記載のテレビジョンチューナ。
【請求項４】
前記第一の並列同調回路は互いに並列に接続された第一のインダクタンス素子と第一のコンデンサとを有し、前記第二の並列同調回路は互いに並列に接続された第二のインダクタンス素子と第二のコンデンサとを有し、前記直列同調回路は互いに直列に接続された第二のバラクタダイオードと第三のインダクタンス素子と第三のコンデンサとを有すると共に第二のスイッチ手段を介して前記第三のコンデンサに並列接続された第四のコンデンサとを有し、前記直列同調回路の途中の点を出力端として、テレビジョン信号を受信する場合には前記第一のバラクタダイオードと前記第二のバラクタダイオードとに逆方向のバイアス電圧を印加すると共に、第二のスイッチ手段をオフ状態にして、ＦＭ放送信号を受信する場合には前記第一のバラクタダイオードと前記第二のバラクタダイオードとに順方向のバイアス電圧を印加すると共に、第二のスイッチ手段をオン状態にしたことを特徴とする請求項３に記載のテレビジョンチューナ。
【請求項５】
前記中間周波同調回路にトラップ回路を設け、前記トラップ回路は、互いに並列に接続された第四のインダクタンス素子と第三のバラクタダイオードとを有し、テレビジョン信号を受信する場合には、前記第三のバラクタダイオードに逆方向のバイアス電圧を印加して、前記トラップ回路によって受信するテレビジョンチャネルに対して低い方に隣接するテレビジョンチャネルの音声搬送波に対応する中間周波数帯の周波数を減衰させ、ＦＭ放送信号を受信する場合には、テレビジョン信号を受信する場合と比較して前記第三のバラクタダイオードに印加する逆方向のバイアス電圧を低くして前記トラップ回路のトラップ周波数を中間周波数帯の映像搬送波と音声搬送波との間の周波数としたことを特徴とする請求項１乃至４の何れか１項に記載のテレビジョンチューナ。
【発明の詳細な説明】
【０００１】
【発明の属する技術分野】
本発明は、テレビジョン信号のみならずＦＭ放送信号を受信可能としたテレビジョンチューナに関する。
【０００２】
【従来の技術】
テレビジョン信号とＦＭ放送信号とは、帯域幅が異なっており、テレビジョン信号の帯域幅が６ＭＨｚであり、ＦＭ放送信号の帯域が２００ｋＨｚである。また、受信レベルの点でも異なっており、テレビジョン信号は、ＦＭ放送信号よりも、６ｄＢ程度、受信レベルが高い。
【０００３】
従来、テレビジョン信号とＦＭ放送信号とを１つのテレビジョンチューナで受信する場合は、テレビジョン信号用のＳＡＷフィルタと、ＦＭ放送信号用のＳＡＷフィルタとをテレビジョンチューナの中間周波回路に設け、テレビジョン信号を受信する際には、テレビジョン信号受信用のＳＡＷフィルタによって妨害波を排除し、ＦＭ放送信号を受信する際には、ＦＭ放送信号用ＳＡＷフィルタによって妨害波を排除していた。
【０００４】
従来のテレビジョンチューナの構成を図８に従って説明する。図８においてアンテナ７１で受信したテレビジョン信号またはＦＭ放送信号はアンテナ同調回路７２によって同調され、高周波増幅器７３によって増幅され、高周波同調回路７４によって同調される。アンテナ同調回路７２と高周波同調回路７４とは、それぞれバラクタダイオード（図示せず）を有しており、後述するＰＬＬ回路８２から発振周波数制御電圧がそれぞれのバラクタダイオードのカソードに印加され、同調周波数が受信する周波数となるように制御される。
【０００５】
混合器７５には、高周波同調回路７４から出力されたテレビジョン信号またはＦＭ放送信号が入力されると共に、局部発振器８１から局部発振信号が入力される。局部発振器８１は、受信するテレビジョン信号の中心周波数またはＦＭ放送信号よりも約４４ＭＨｚ高い周波数の局部発振信号を出力するようにＰＬＬ回路８２から入力される発振周波数制御電圧よって制御されている。従って、混合器７５は、テレビジョン信号を中心周波数が４４ＭＨｚの中間周波数帯に周波数変換すると共に、ＦＭ放送信号を４４ＭＨｚに周波数変換する。また、ＰＬＬ回路８２から出力される発振周波数制御電圧は、前述した通り、アンテナ同調回路７２と高周波同調回路７４とにも印加される。
【０００６】
混合器７５で周波数変換されたテレビジョン信号またはＦＭ放送信号は、中間周波同調回路７６で同調され、切替スイッチ７７に入力される。切替スイッチはバンドデコーダ８３によって制御されており、テレビジョン信号を受信する際には、切替スイッチ７７が、中間周波同調回路７６とテレビジョン信号用ＳＡＷフィルタ７８とを接続し、テレビジョン信号が、テレビジョン信号用ＳＡＷフィルタ７８を通過する。テレビジョン信号用ＳＡＷフィルタ７８の帯域は、６ＭＨｚとなっている。一方、ＦＭ放送信号を受信する際には、切替スイッチ７７が、中間周波同調回路７６と中間周波増幅器７９とを接続し、ＦＭ放送信号を中間周波増幅器７９で増幅して、テレビジョン信号とのレベルの差を無くしてから、ＦＭ放送信号用ＳＡＷフィルタ８０を通過させる。ＦＭ放送信号用ＳＡＷフィルタ８０の帯域は、１．５ＭＨｚとなっている。
【０００７】
【発明が解決しようとする課題】
このような従来のテレビジョンチューナは、テレビジョン信号とＦＭ放送信号とを受信するために帯域の異なるＳＡＷフィルタをテレビジョン信号とＦＭ放送信号との為に別々に設ける必要があり、小型化と低価格化の妨げとなっていた。
【０００８】
そこで、本発明の目的は、ＳＡＷフィルタ等の部品点数を削減して、小型化可能で低価格なテレビジョンチューナを提供するものである。
【０００９】
【課題を解決するための手段】
上記課題を解決するため、本発明のテレビジョンチューナは、テレビジョン信号又はＦＭ放送信号が入力され、前記テレビジョン信号をテレビジョンの中間周波数帯に周波数変換するとともに、前記ＦＭ放送信号を前記中間周波数帯における音声中間周波数に周波数変換する混合器と、前記混合器の後段に設けられた中間周波同調回路とを備え、前記中間周波同調回路は、前記中間周波数帯の略中央の周波数に同調する第一の並列同調回路と、前記第一の並列同調回路に並列接続され、前記音声中間周波数よりも低い周波数に同調する第二の並列同調回路及びその第二の並列同調回路に直列接続されたスイッチ手段とから構成され、前記混合器から前記中間周波数帯の信号及び前記音声中間周波数帯の信号が前記中間周波同調回路の両端に供給されるもので、前記テレビジョン信号を受信する場合には前記スイッチ手段をオフ状態に設定して前記中間周波同調回路が前記第一の並列同調回路だけになるようにし、前記ＦＭ放送信号を受信する場合には前記スイッチ手段をオン状態に設定して前記中間周波同調回路が前記第一の並列同調回路及び前記第二の並列同調回路になるようにし、前記第一の並列同調回路と前記第二の並列同調回路との並列回路の同調周波数が前記音声中間周波数になるように前記第二の並列同調回路の同調周波数を設定し、前記スイッチ手段のオン・オフを切り換えることによって前記中間周波同調回路の同調周波数と帯域幅とを変化させた。
【００１０】
また、本発明のテレビジョンチューナは、テレビジョン信号又はＦＭ放送信号が入力され、前記テレビジョン信号をテレビジョンの中間周波数帯に周波数変換すると共に、前記ＦＭ放送信号を前記中間周波数帯における音声中間周波数に周波数変換する混合器と、前記混合器よりも後段に設けられた中間周波同調回路とを備え、前記中間周波同調回路を第一の並列同調回路と第二の並列同調回路と前記第二の並列同調回路に直列に接続された第一のバラクタダイオードとから構成し、前記第一の並列同調回路又は前記第二の並列同調回路の何れか一方の並列同調回路の並列同調周波数を前記中間周波数帯の中央よりも高く、他方の並列同調回路の並列同調周波数を前記音声中間周波数より低く設定し、前記第一の並列同調回路の両端と、前記第二の並列同調回路と前記第一のバラクタダイオードとからなる直列回路の両端とに、前記中間周波数帯の信号と前記音声中間周波数帯の信号とを印加し、テレビジョン信号を受信する場合には前記第一のバラクタダイオードに逆方向のバイアス電圧を印加して、前記第二の並列同調回路と前記第一のバラクタダイオードとによって、受信するテレビジョンチャネルに対して高い方に隣接するテレビジョンチャネルの映像搬送波に対応する中間周波数帯の周波数に直列同調させると共に、直列接続された前記第二の並列同調回路及び前記第一のバラクタダイオードと、前記第一の並列同調回路との並列回路の同調周波数を前記中間周波数になるように設定し、ＦＭ放送信号を受信する場合には前記第一のバラクタダイオードを導通状態として、前記第一の並列同調回路と前記第二の並列同調回路とからなる並列回路の同調周波数を前記音声中間周波数になるように設定し、前記第一のバラクタダイオードのバイアス電圧を切り換えることによって前記中間周波同調回路の同調周波数と帯域幅とを変化させた。
【００１１】
また、本発明のテレビジョンチューナは、前記混合器よりも後段に中間周波増幅器と、前記中間周波増幅回器の出力端とグランドとの間に接続された直列同調回路とを設け、前記直列同調回路は、途中の点を出力端としており、前記直列同調回路の同調周波数が変更可能であって、テレビジョン信号を受信する場合は前記直列同調回路の同調周波数を前記中間周波数帯の帯域外として、ＦＭ放送信号を受信する場合は前記直列同調回路の同調周波数を前記音声中間周波数の周波数に合わせ、テレビジョン信号とＦＭ放送信号とのレベルを調整した。
【００１２】
また、本発明のテレビジョンチューナは、前記第一の並列同調回路は互いに並列に接続された第一のインダクタンス素子と第一のコンデンサとを有し、前記第二の並列同調回路は互いに並列に接続された第二のインダクタンス素子と第二のコンデンサとを有し、前記直列同調回路は互いに直列に接続された第二のバラクタダイオードと第三のインダクタンス素子と第三のコンデンサとを有すると共に第二のスイッチ手段を介して第三のコンデンサに並列接続された第四のコンデンサとを有し、前記直列同調回路の途中の点を出力端として、テレビジョン信号を受信する場合は前記第一のバラクタダイオードと前記第二のバラクタダイオードとに逆方向のバイアス電圧を印加すると共に、第二のスイッチ手段をオフ状態にして、ＦＭ放送信号を受信する場合は前記第一のバラクタダイオードと前記第二のバラクタダイオードとに順方向のバイアスを印加すると共に、第二のスイッチ手段をオン状態にした。
【００１３】
また、本発明のテレビジョンチューナは、前記中間周波同調回路にトラップ回路を設け、前記トラップ回路は、互いに並列に接続された第四のインダクタンス素子と第三のバラクタダイオードとを有し、テレビジョン信号を受信する場合には、前記第三のバラクタダイオードに逆方向のバイアス電圧を印加して、前記トラップ回路によって受信するテレビジョンチャネルに対して低い方に隣接するテレビジョンチャネルの音声搬送波に対応する中間周波数帯の周波数の信号を減衰させ、ＦＭ放送信号を受信する場合にはテレビジョン信号を受信する場合と比較して前記第三のバラクタダイオードに印加する逆方向のバイアス電圧を低くしてトラップ周波数を中間周波数帯の映像搬送波と音声搬送波との間の周波数として、それぞれにあった帯域特性とした。
【００１４】
【発明の実施の形態】
本発明のテレビジョンチューナを図１乃至図７に従って説明する。図１は、本発明のテレビジョンチューナのブロック図を示し、図２は、図１に示すアンテナ同調回路２の一実施例を示し、図３は、図１に示す高周波同調回路４の一実施例を示し、図４は、図１に示す局部発振器９の一実施例を示し、図５は、図１に示す中間周波同調回路６と第一の切換回路１１との一実施例を示し、図６は、図１に示す中間周波増幅回路７と第二の切換回路１２との一実施を示し、図７は、図１に示す中間周波同調回路６と第一の切換回路１１との別の実施例を示す。
【００１５】
まず、図１において、テレビジョンチューナは、アンテナ同調回路２と、高周波増幅器３と、高周波同調回路４と、混合器５と、中間周波同調回路６と、中間周波増幅回路７と、ＳＡＷフィルタ８と、局部発振器９と、ＰＬＬ回路１０と、第一の切換回路１１と、第二の切換回路１２と、バンドデコーダー１３とを備えている。
【００１６】
アンテナ１で受信したテレビジョン信号またはＦＭ放送信号は、アンテナ同調回路２によって同調される。アンテナ同調回路２は、図２に示すとおりに、第四のバラクタダイオード３２を有しており、端子ＴＵから第四のバラクタダイオード３２のカソードに印加される逆方向のバイアス電圧によって、同調周波数が変化するようになっている。バイアス電圧は、ＰＬＬ回路１０から出力される後述する発振周波数制御電圧と同一の電圧であって、アンテナ同調回路２の同調周波数が、受信する信号の周波数と一致するように第四のバラクタダイオード３２の容量を変化させるようになっている。尚、端子ＬＢと端子ＨＢとは、ＶＨＦのローバンドとハイバンドとを切り換える為の端子であって、バンドデコーダー１３に接続されている。ＶＨＦローバンドを受信する際には、端子ＬＢが端子ＨＢより高電圧となり、第一ののスイッチダイオード３５をオフ状態にして、ＶＨＦハイバンドを受信する際には、端子ＬＢが端子ＨＢより低電圧となり、第一ののスイッチダイオード３５をオン状態にする。
【００１７】
アンテナ同調回路２を通過したテレビジョン信号またはＦＭ放送信号は、高周波増幅器３で増幅され、高周波同調回路４によって同調される。高周波同調回路４は、図３に示すとおりに、第五のバラクタダイオード３３ａ〜３３ｃを有しており、端子ＴＵから第五のバラクタダイオード３３ａ〜３３ｃのカソードに印加される逆方向のバイアス電圧によって、同調周波数が変化するようになっている。バイアス電圧は、後述するＰＬＬ回路１０から出力される発振周波数制御電圧と同一の電圧であって、高周波同調回路４の同調周波数が、受信する信号の周波数と一致するように第五のバラクタダイオード３３ａ〜３３ｃの容量を変化させる。尚、端子ＬＢと端子ＨＢとは、ＶＨＦのローバンドとハイバンドとを切り換える為の端子であって、バンドデコーダー１３に接続されている。ＶＨＦローバンドを受信する際には、端子ＬＢが端子ＨＢより高電圧となり、第二のスイッチダイオード３６ａ，３６ｂをオフ状態にして、ＶＨＦハイバンドを受信する際には、端子ＬＢが端子ＨＢより低電圧となり、第二ののスイッチダイオード３６ａ，３６ｂをオン状態にする。
【００１８】
高周波同調回路４を通過したテレビジョン信号またはＦＭ放送信号は、局部発振器９から出力される局部発振信号と共に、混合器５に入力され、混合器５で周波数変換され、中間周波同調回路６へ出力される。局部発振器９は、図４に示すとおりに、第六のバラクタダイオード３４を有しており、ＰＬＬ回路１０から、端子ＴＵを介して第六のバラクタダイオード３４のカソードに印加される発振周波数制御電圧によって、局部発振信号の周波数が周波数が変化するようになっている。テレビジョン信号を受信する場合には、局部発振器９が、受信するテレビジョン信号の中心周波数よりも４４ＭＨｚ高い周波数の局部発振信号を出力する。一方、ＦＭ放送信号を受信する場合には、局部発振器９が、受信するＦＭ放送信号の周波数よりも４１．２５ＭＨｚ高い周波数の局部発振信号を出力する。テレビジョン信号の周波数帯域幅は６ＭＨｚなので、混合器５によって、テレビジョン信号は、４１ＭＨｚから４７ＭＨｚの中間周波数帯に周波数変換され、その中心周波数は、４４ＭＨｚで、音声中間周波数は４１．２５ＭＨｚで、映像中間周波数は４５．７５ＭＨｚとなる。一方、ＦＭ放送信号は、テレビジョン信号の音声中間周波数と同一の４１．２５ＭＨｚに周波数変換される。
【００１９】
局部発振器９の端子３７は、後述する第一の切換回路１１（図５参照）の非反転出力端子４１に接続されており、テレビジョン信号を受信する際には、端子３７から第六のバラクタダイオード３４のアノードに０Ｖの電圧が印加され、ＦＭ放送信号を受信する際には、端子３７から第六のバラクタダイオード３４のアノードに２Ｖの電圧が印加される。従って、ＰＬＬ回路１０から出力される発振周波数制御電圧と、局部発振器９が出力する局部発振信号の周波数との関係が、テレビジョン信号受信時とＦＭ放送信号受信時とで変化する。つまり、ＦＭ放送信号受信時には、テレビジョン信号受信時に対して、局部発振信号の周波数に対する発振周波数制御電圧が２Ｖ高くなるので、アンテナ同調回路２の第四のバラクタダイオード３２と高周波同調回路４の第五のバラクタダイオード３３ａ〜３３ｃとのカソードに印加される電圧と局部発振信号の周波数の関係が変化する。このため、テレビジョン信号を受信する場合には、アンテナ同調回路２と高周波同調回路４との同調周波数が、局部発振信号の周波数に対して、４４ＭＨｚ低い周波数となり、ＦＭ放送信号を受信する場合には、アンテナ同調回路２と高周波同調回路４との同調周波数が、局部発振信号の周波数に対して、４１．２５ＭＨｚ低い周波数になる。
【００２０】
混合器５で周波数変換されたテレビジョン信号又はＦＭ放送信号は、中間周波同調回路６に入力される。中間周波同調回路６は、平衡型の回路であって、第一の並列同調回路１４と第二の並列同調回路１５と、第二の並列同調回路１５に直列に接続されたスイッチダイオードからなるスイッチ手段２８と、トラップ回路１７とを有しており、第一の並列同調回路１４の両端と、第二の並列同調回路１５とスイッチ手段２８とからなる直列同調回路の両端とに周波数変換されたテレビジョン信号又はＦＭ放送信号が印加される。第一の並列同調回路１４は、第一のコンデンサ１８と第一のインダクタンス素子２４ａ，２４ｂとを有しており、中間周波数帯の中央の周波数である４４ＭＨｚで同調し、帯域は６ＭＨｚである。また、第二の並列同調回路１５は、第二のコンデンサ１９と第二のインダクタンス素子２５とを有しており、音声中間周波数より低い約３８ＭＨｚで同調し、帯域は、ほぼ１．８ＭＨｚである。また、トラップ回路１７は、第四のインダクタンス素子２７と、第三のバラクタダイオード３１と、第五のコンデンサ２２とが互いに並列に接続され、平衡線路の一方の線路上に挿入されている。
【００２１】
また、中間周波同調回路６は、第一の切換回路１１に接続されており、第一の切換回路１１は、電源端子３８と、バンドスイッチ入力端子３９と、非反転出力端子４１と、反転出力端子４２とを有している。第一の切換回路１１は、集積回路化されているが、その等価回路には、第一のスイッチトランジスタ４４と、第二のスイッチトランジスタ４５と、第三のスイッチトランジスタ４６と、第一の抵抗４８と、第二の抵抗４９と、第三の抵抗５０と、第四の抵抗５１とを含んでいる。第一のスイッチトランジスタ４４は、ＮＰＮ型のトランジスタであって、エミッタが接地され、ベースは、第一の抵抗４８を介してバンドスイッチ入力端子３９に接続され、コレクタは、第二の抵抗４９を介して接地されると共に反転出力端子４２に接続される。また、第二のスイッチトランジスタ４５は、ＰＮＰ型のトランジスタであって、コレクタが第三の抵抗５０を介して接地されると共に非反転出力端子４１に接続され、エミッタが電源端子３８に接続され、ベースが第三のスイッチトランジスタ４６のコレクタに接続される。第三のスイッチトランジスタ４６は、ＮＰＮ型のトランジスタであって、エミッタが接地され、ベースが第四の抵抗５１を介してバンドスイッチの入力端子３９に接続されている。そして、５Ｖの第一の電源電圧Ｂ１が第一のインダクタンス素子２４ａ，２４ｂの中間に印加され、第一のインダクタンス素子２４ａを介して、スイッチ手段２８のアノードと、第三のバラクタダイオード３１のカソードとに印加される。また、第一の電源電圧Ｂ１は、第一の切換回路１１の電源端子３８にも印加される。そして、３０Ｖの第二の電源電圧Ｂ２は、第一の切換回路１１にシャントされてから、スイッチ手段２８のカソードに接続される。
【００２２】
テレビジョン信号を受信する際には、バンドスイッチ入力端子３９にバンドデコーダ１３から０Ｖの電圧が印加される。すると、第一のスイッチトランジスタ４４がオフになり、第二の電源電圧Ｂ２が、第二の抵抗４９と第六の抵抗５３とによって分圧され、反転出力端子４２の電圧が１０Ｖとなり、スイッチ手段２８のカソードに入力される。従って、スイッチ手段２８に逆方向のバイアス電圧が印加されるので、オフ状態となり、中間周波同調回路６は、第一の並列同調回路１４のみによって並列同調し、同調周波数は４４ＭＨｚで帯域は６ＭＨｚとなる。
【００２３】
また、バンドスイッチ入力端子３９にバンドデコーダ１３から０Ｖの電圧が印加されると、第三のスイッチトランジスタ４６がオフになり、第二のスイッチトランジスタ４５がオフになる。すると、非反転出力端子４１の電圧が０Ｖとなり、第三のバラクタダイオード３１に印加される逆方向のバイアス電圧は５Ｖとなり第三のバラクタダイオード３１の容量値が比較的小さくなる。この状態では、トラップ回路１７で減衰される信号の周波数が、受信するテレビジョンチャネルに対して低い方に隣接するテレビジョンチャネルの音声搬送波に対応する中間周波数帯の周波数である４７．２５ＭＨｚとなるようになっている。
【００２４】
一方、ＦＭ放送信号を受信する際には、バンドスイッチ入力端子３９にバンドデコーダ１３から５Ｖの電圧が印加される。すると、第一のスイッチトランジスタ４４がオンになり、反転出力端子４２の電圧が０Ｖとなり、スイッチ手段２８のカソードに入力される。従って、スイッチ手段２８に順方向のバイアス電圧が印加されるので、オン状態となり、中間周波同調回路６は、第一の並列同調回路１４と第二の並列同調回路１５とからなる並列回路によって並列同調し、同調周波数は、第一の並列同調回路１４と第二の並列同調回路１５の間の周波数の４１．２５ＭＨｚとなり、帯域は第一の並列同調回路１４と第二の並列同調回路１５のどちらよりも狭いほぼ１．５ＭＨｚとなる。
【００２５】
また、バンドスイッチ入力端子３９にバンドデコーダ１３から５Ｖの電圧が印加されると、第三のスイッチトランジスタ４６がオンになり、第二のスイッチトランジスタ４５がオンになる。すると、非反転出力端子４１から５Ｖの電圧が出力され、第七の抵抗５４と第八の抵抗５５とで分圧されて、第三のバラクタダイオードのアノードに４Ｖの電圧がかかるので、第三のバラクタダイオード３１に印加される逆方向のバイアス電圧は１Ｖとなり、第三のバラクタダイオード３１の容量値が比較的大きくなるが、この状態では、トラップ回路１７で減衰される信号の周波数が、中間周波数の音声搬送波より若干高い４３ＭＨｚとなるようになっている。
【００２６】
中間周波同調回路６で同調されたテレビジョン信号またはＦＭ放送信号は、中間周波増幅回路７に入力される。中間周波増幅回路７は、図６に示す通りに、ＮＰＮ型トランジスタからなる増幅器５８と、増幅器５８の出力端に一端が接続された第二のバラクタダイオード３０及び第六のコンデンサ２３と、第二のバラクタダイオード３０及び第六のコンデンサ２３の他端に一端が接続された第三のインダクタンス素子２６と、第三のインダクタンス素子２６の他端に接続され第二の切換回路１２を介してグランドにシャントされた第四のコンデンサ２１と、第三のインダクタンス素子２６の他端とグランドとの間に設けられた第三のコンデンサ２０とを有し、第三のコンデンサ２０の両端の電圧が出力端６０から出力される。第二の切換回路１２は、出力端子４３が第四のコンデンサ２１に接続されており、出力端子４３は、比較的抵抗値の大きな第九の抵抗５６を介して接地されると共に、第四のスイッチトランジスタ４７のコレクタに接続される。第四のスイッチトランジスタ４７はエミッタが接地され、ベースが第十の抵抗５７を介して、第二のバンドスイッチ入力端子４０に接続されている。
【００２７】
テレビジョン信号を受信する際には、第二のバンドスイッチ入力端子４０にバンドデコーダ１３から０Ｖの電圧が印加され、第四のスイッチトランジスタ４７がオフになる。第九の抵抗５６は、抵抗値が高いため、出力端子４３が開放された状態となる。このため、第二のバラクタダイオード３０に逆方向のバイアス電圧が印加され、第六のコンデンサ２３と第二のバラクタダイオード３０と第三のインダクタンス素子２６と第三のコンデンサ２０とから直列同調回路１６が構成される。この直列同調回路１６の同調周波数は、５０ＭＨｚと中間周波数帯（４１ＭＨｚ〜４７ＭＨｚ）より３ＭＨｚ高く、帯域外となっているので、テレビジョン信号が同調されず、信号のレベルが低く抑えられる。
【００２８】
一方、ＦＭ放送信号を受信する際には、第二のバンドスイッチ入力端子４０にバンドデコーダ１３から５Ｖの電圧が印加され、第四のスイッチトランジスタ４７がオンになり、出力端子４３が接地される。このため、第二のバラクタダイオード３０に順方向のバイアス電圧が印加され、第二のバラクタダイオード３０が導通するので、増幅器５８と出力端６０との間のインダクタンス値がテレビジョン信号受信時と比べて大きくなる。また、第四のコンデンサ２１が接地されるので、出力端６０とグランドとの間のキャパシタンス値がテレビジョン信号受信時に比べて大きくなる。従って、増幅器５８と出力端６０との間のインダクタンス成分と、出力端６０とグランドとの間のキャパシタンス成分とからなる直列同調回路１６の同調周波数がテレビジョン信号の受信時よりも低くなる。この同調周波数は、音声中間周波数である４１．２５ＭＨｚとなっているので、ＦＭ放送信号が同調され、信号のレベルが大きくなり、テレビジョン信号のレベルと同程度となる。
【００２９】
中間周波増幅回路７で増幅されたテレビジョン信号またはＦＭ放送信号は、ＳＡＷフィルタ８に入力される。ＳＡＷフィルタ８の通過帯域は４１ＭＨｚから４７ＭＨｚであって、テレビジョン信号の中間周波数帯を通過させる。尚、ＳＡＷフィルタ８の通過帯域は、音声中間周波数に周波数変換されたＦＭ放送信号の帯域よりも広いが、ＦＭ放送信号を受信する場合には、中間周波同調回路６によって、受信するＦＭ放送信号が同調されるので、受信するＦＭ放送信号に隣接する信号は中間周波同調回路６によって除去される。
【００３０】
図７は図５に示す中間周波同調回路６の第二の並列同調回路１５に第一のバラクタダイオード２９が接続された場合の実施の形態を示す。第一の並列同調回路１４と第二の並列同調回路１５と第一のバラクタダイオー２９以外は、図５に示す実施の形態と同様であるのでその説明は省略する。
【００３１】
テレビジョン信号を受信する場合には、第一のバンドスイッチ入力端子３９にバンドデコーダ１３から０Ｖの電圧が印加され第一のバラクタダイオード２９のカソードに１０Ｖの電圧が印加され、第一のバラクタダイオード２９に５Ｖの逆方向のバイアス電圧が加わり、第一のバラクタダイオード２９がキャパシタとなる。すると、第一のバラクタダイオード２９と第二の並列同調回路１５とによって直並列同調回路が構成される。この直並列同調回路は受信するテレビジョンチャネルに対して高い方に隣接するテレビジョンチャネルの映像搬送波に対応する３９．７５ＭＨｚで直列同調する。中間周波同調回路６は、第二の並列同調回路１５と第一のバラクタダイオード２９からなる直並列同調回路の直列同調周波数が、そのまま直列同調周波数となる。また、中間周波同調回路６の並列同調周波数は、中間周波数帯である４４ＭＨｚとなるように、第一のコンデンサ１８と第二のコンデンサ１９と第一のインダクタンス素子２４ａ，２４ｂと第二のインダクタンス素子２５と第一のバラクタダイオード２９が選ばれる。
【００３２】
ＦＭ放送信号を受信する場合には、第一のバンドスイッチ入力端子３９にバンドデコーダ１３から５Ｖの電圧が印加され第一のバラクタダイオード２９のカソードに０Ｖの電圧が加わり、第一のバラクタダイオード２９に順方向のバイアス電圧が印加されるので、第一のバラクタダイオード２９が導通する。すると、中間周波同調回路６は、第一の並列同調回路１４と第二の並列同調回路１５とからなる並列回路によって並列同調する。この並列同調の周波数は、音声中間周波数である４１．２５ＭＨｚとなるように第一のコンデンサ１８と第二のコンデンサ１９と第一のインダクタンス素子２４ａ，２４ｂと第二のインダクタンス素子２５とが選ばれる。
【００３４】
また、本発明のテレビジョンチューナの中間周波同調回路は、第一の並列同調回路と第二の並列同調回路と第二の並列同調回路に直列に接続された第一のバラクタダイオードとを有し、テレビジョン信号を受信する場合には、第一のバラクタダイオードに逆方向のバイアス電圧を印加して、中間周波同調回路を直並列同調させ、受信するテレビジョンチャネルに対して高い方に隣接するテレビジョンチャネルの映像搬送波に対応する中間周波数帯の周波数に直列同調させるとともに、中間周波数帯に並列同調させて、ＦＭ放送信号を受信する場合には、第一のバラクタダイオードに順方向のバイアス電圧を印加して、ＦＭ放送信号を受信する場合には、第一のバラクタダイオードを導通状態として、中間周波同調回路を音声中間周波数に並列同調させたので、１つの中間周波同調回路によって、テレビジョン信号とＦＭ放送信号とを所望の周波数及び帯域で同調することができ、小型化可能となる。特に、上側隣接チャネルの信号を除去できるので、妨害波の除去に効果がある。
【００３５】
また、本発明のテレビジョンチューナの中間周波増幅器の出力端とグランドとの間に接続された直列同調回路は、同調周波数が変更可能であって、テレビジョン信号を受信する場合には、直列同調回路の同調周波数を中間周波数帯の帯域外として、ＦＭ放送信号を受信する場合には、直列同調回路の同調周波数を中間周波数の帯域外として、ＦＭ放送信号を受信する場合は、直列同調回路の同調周波数を音声中間周波数の周波数に合わせたので、ＦＭ放送信号の利得が、テレビジョン信号の利得よりも大きくなるので、テレビジョン信号とＦＭ放送信号とのレベルを同程度にできる。
【００３６】
また、本発明のテレビジョンチューナの第一の並列同調回路は互いに並列に接続された第一のインダクタンス素子と第一のコンデンサとを有し、第二の並列同調回路は互いに並列に接続された第二のインダクタンス素子と第二のコンデンサとを有し、直列同調回路は互いに直列に接続された第二のバラクタダイオードと第三のインダクタンス素子と第三のコンデンサとを有すると共に第二のスイッチ手段を介して第三のコンデンサに並列接続された第四のコンデンサとから構成したので、テレビジョンチューナを安価にできる。
【００３７】
また、本発明のテレビジョンチューナの中間周波同調回路にトラップ回路を設け、テレビジョン信号を受信する場合には、トラップ回路によって受信するテレビジョンチャネルに対して低い方に隣接するテレビジョンチャネルの音声搬送波に対応する中間周波数帯の周波数の信号を減衰させ、ＦＭ放送信号を受信する場合には、トラップ周波数を中間周波数帯の映像搬送波と音声搬送波との間の周波数としたので、１つのトラップ回路によって、テレビジョン信号とＦＭ放送信号との妨害波を除去できるので、小型化可能となる。
【図面の簡単な説明】
【図１】本発明のテレビジョンチューナのブロック図
【図２】本発明のテレビジョンチューナに用いられるアンテナ同調回路の一実施例を示す回路図
【図３】本発明のテレビジョンチューナに用いられる高周波同調回路の一実施例を示す回路図
【図４】本発明のテレビジョンチューナに用いられる局部発振器の一実施例を示す回路図
【図５】本発明のテレビジョンチューナに用いられる中間周波同調回路と第一の切換回路との一実施例を示す回路図
【図６】本発明のテレビジョンチューナに用いられる中間周波増幅回路の一実施例を示す回路図
【図７】本発明のテレビジョンチューナに用いられる中間周波同調回路の別の実施例を示す回路図
【図８】従来のテレビジョンチューナのブロック図
【符号の説明】
１  アンテナ
２  アンテナ同調回路
３  高周波増幅器
４  高周波同調回路
５  混合器
６  中間周波同調回路
７  中間周波増幅回路
８  ＳＡＷフィルタ
９  局部発振器
１０  ＰＬＬ回路
１１  第一の切換回路
１２  第二の切換回路
１３  バンドデコーダ
１４  第一の並列同調回路
１５  第二の並列同調回路
１６  直列同調回路
１７  トラップ回路
１８  第一のコンデンサ
１９  第二のコンデンサ
２０  第三のコンデンサ
２１  第四のコンデンサ
２２  第五ののコンデンサ
２３  第六ののコンデンサ
２４ａ，２４ｂ  第一のインダクタンス素子
２５  第二のインダクタンス素子
２６  第三のインダクタンス素子
２７  第四のインダクタンス素子
２８  スイッチ手段
２９  第一のバラクタダイオード
３０  第二のバラクタダイオード
３１  第三のバラクタダイオード
３２  第四のバラクタダイオード
３３ａ〜３３ｃ  第五のバラクタダイオード
３４  第六のバラクタダイオード
３５  第一ののスイッチダイオード
３６ａ，３６ｂ  第二のスイッチダイオード
３７  端子
３８  電源端子
３９  第一のバンドスイッチ入力端子
４０  第二のバンドスイッチ入力端子
４１  非反転出力端子
４２  反転出力端子
４３  出力端子
４４  第一のスイッチトランジスタ
４５  第二のスイッチトランジスタ
４６  第三のスイッチトランジスタ
４７  第四のスイッチトランジスタ
４８  第一の抵抗
４９  第二の抵抗
５０  第三の抵抗
５１  第四の抵抗
５２  第五の抵抗
５３  第六の抵抗
５４  第七の抵抗
５５  第八の抵抗
５６  第九の抵抗
５７  第十の抵抗
５８  トランジスタ
５９  スイッチトランジスタ
６０  出力端
【図１】
0003874594.tif 000002
【図２】
0003874594.tif 000003
【図３】
0003874594.tif 000004
【図４】
0003874594.tif 000005
【図５】
0003874594.tif 000006
【図６】
0003874594.tif 000007
【図７】
0003874594.tif 000008
【図８】
0003874594.tif 000009